(57)【要約】【課題】ＥＰＤにおいて、表示部の残像を低減するとともに、省電力化を図ることを可能にする。【解決手段】ＣＰＵ１１は、次の画像を表示する旨の表示指令を操作部１６または座標取得部１７から受け取ったと判断すると、電源制御部１８を制御して、電力残量を取得して、記憶部１４から駆動パターンテーブル１４１を参照する。そして、ＣＰＵ１１は、取得した電力残量に対応する消去駆動パターンを特定し、特定した消去駆動パターンをＲＡＭ１３に記憶することにより、これを実行する消去駆動パターンとして設定する。ＣＰＵ１１は、設定した消去駆動パターンに従って、黒消去処理を実行し、白消去処理を実行する。これらの消去処理が完了すると、ＣＰＵ１１は、記憶部１４から次の画像を読み込んで、この画像の書き込みを行う。【選択図】図２
2010072194.tif 000002
【特許請求の範囲】
【請求項１】
印加される電圧に応じて色が書き換えられる複数の画素を有する表示手段と、
電源から供給可能な電力の残量を検知する検知手段と、
前記画素を第１の色から第２の色に書き換える期間である第１の期間および前記画素を第２の色から第１の色に書き換える期間である第２の期間と、電力の残量とのそれぞれの対応関係を取得する取得手段と、
前記取得手段により取得された対応関係に基づいて、前記検知手段により検知された電力の残量に応じた第１の期間および第２の期間を特定する特定手段と、
前記複数の画素のうち、画像データによって表される画像に対応する画素に電圧を印加し、当該画素の色を第１の色から第２の色に書き換えて、当該画像を前記表示手段に書き込む書込手段と、
前記書込手段によって第２の色に書き換えられた画素以外の画素に対し、前記特定手段が特定した第１の期間に亘って電圧を印加して、当該画素の色を第１の色から第２の色に書き換える第１書換手段と、
前記書込手段および前記第１書換手段によって第２の色に書き換えられた画素に対し、前記特定手段が特定した第２の期間に亘って電圧を印加して、当該画素の色を第２の色から第１の色に書き換える第２書換手段と
を具備することを特徴とする表示装置。
【請求項２】
利用者による操作の内容に応じた操作信号を供給する操作信号供給手段と、
前記操作信号供給手段により供給される操作信号に応じて、前記電源から供給可能な電力の残量と前記第１の期間および前記第２の期間との対応関係を記憶する記憶手段とを具備し、
前記取得手段は、前記電力の残量と前記第１の期間および前記第２の期間との対応関係を前記記憶手段から読み出して取得する
ことを特徴とする請求項１に記載の表示装置。
【請求項３】
利用者による操作の内容に応じた操作信号を供給する操作信号供給手段と、
印加される電圧に応じて色が書き換えられる複数の画素を有する表示手段と、
前記操作信号供給手段により供給された操作信号に基づいて、第１の期間および第２の期間を特定する期間特定手段と、
前記複数の画素のうち、画像データによって表される画像に対応する画素に電圧を印加し、当該画素の色を第１の色から第２の色に書き換えて、当該画像を前記表示手段に書き込む書込手段と、
前記書込手段によって第２の色に書き換えられた画素以外の画素に対し、前記特定手段が特定した第１の期間に亘って電圧を印加して、当該画素の色を第１の色から第２の色に書き換える第１書換手段と、
前記書込手段および前記第１書換手段によって第２の色に書き換えられた画素に対し、前記特定手段が特定した第２の期間に亘って電圧を印加して、当該画素の色を第２の色から第１の色に書き換える第２書換手段と
を具備することを特徴とする表示装置。
【請求項４】
前記期間特定手段は、
予め定められた第１の期間および第２の期間をそれぞれ組み合わせて成る複数の組から、前記操作信号供給手段により供給された操作信号に基づいて、１の組を選択することによって、前記第１の期間および前記第２の期間を特定する
ことを特徴とする請求項３に記載の表示装置。
【請求項５】
前記期間特定手段は、
電源から供給可能な電力の残量を検知する検知手段と、
前記複数の組のそれぞれを用いた場合に、前記書込手段、前記第１書換手段および前記第２書換手段により消費されるそれぞれの電力の消費量を特定する電力消費量特定手段と、
前記電力消費量特定手段により特定した各電力消費量と、前記検知手段により検知された電力の残量とに基づいて、前記書込手段、前記第１書換手段および前記第２書換手段による画像データに応じた画像の書き換えが可能な回数である書換回数を前記各組ごとに算出し、利用者に報知する報知手段とを具備し、
前記操作信号供給手段により供給された操作信号に基づいて、１の組を選択することによって、前記第１の期間および前記第２の期間を特定する
ことを特徴とする請求項４に記載の表示装置。
【請求項６】
前記期間特定手段は、
電源から供給可能な電力の残量を検知する検知手段と、
前記操作信号供給手段により供給された操作信号に基づいて特定した第１の期間および第２の期間を用いた場合に、前記書込手段、前記第１書換手段および前記第２書換手段により消費される電力の消費量を特定する電力消費量特定手段と、
前記電力消費量特定手段により特定した電力の消費量と、前記検知手段により検知された電力の残量とに基づいて、前記書込手段、前記第１書換手段および前記第２書換手段による画像データに応じた画像の書き換えが可能な回数である書換回数を算出し、利用者に報知する報知手段とを具備し、
当該報知に応じて前記操作信号供給手段により供給された操作信号に基づいて、前記第１の期間および前記第２の期間を特定する
ことを特徴とする請求項３に記載の表示装置。
【請求項７】
印加される電圧に応じて色が書き換えられる複数の画素を有する表示手段と、電源から供給可能な電力の残量を検知する検知手段とを具備する表示装置のコンピュータを、
電力の残量と第１の期間および第２の期間との対応関係を取得する取得手段と、
前記取得手段により取得された対応関係に基づいて、前記検知手段により検知された電力の残量に応じた第１の期間および第２の期間を特定する特定手段と、
前記表示手段により、前記複数の画素のうち、画像データによって表される画像に対応する画素に電圧を印加させ、当該画素の色を第１の色から第２の色に書き換えさせて、当該画像を前記表示手段に書き込ませる書込制御手段と、
前記表示手段により、前記書込制御手段によって第２の色に書き換えさせられた画素以外の画素に対し、前記特定手段が特定した第１の期間に亘って電圧を印加させ、当該画素の色を第１の色から第２の色に書き換えさせる第１書換制御手段と、
前記表示手段により、前記書込制御手段および前記第１書換制御手段によって第２の色に書き換えさせられた画素に対し、前記特定手段が特定した第２の期間に亘って電圧を印加させて、当該画素の色を第２の色から第１の色に書き換えさせる第２書換制御手段と
して機能させるためのプログラム。
【請求項８】
利用者による操作の内容に応じた操作信号を供給する操作信号供給手段と、印加される電圧に応じて色が書き換えられる複数の画素を有する表示手段とを具備する表示装置のコンピュータを、
前記操作信号供給手段により供給された操作信号に基づいて、第１の期間および第２の期間を特定する期間特定手段と、
前記複数の画素のうち、画像データによって表される画像に対応する画素に電圧を印加し、当該画素の色を第１の色から第２の色に書き換えて、当該画像を前記表示手段に書き込む書込手段と、
前記書込手段によって第２の色に書き換えられた画素以外の画素に対し、前記特定手段が特定した第１の期間に亘って電圧を印加して、当該画素の色を第１の色から第２の色に書き換える第１書換手段と、
前記書込手段および前記第１書換手段によって第２の色に書き換えられた画素に対し、前記特定手段が特定した第２の期間に亘って電圧を印加して、当該画素の色を第２の色から第１の色に書き換える第２書換手段と
して機能させるためのプログラム。
【発明の詳細な説明】
【技術分野】
【０００１】
本発明は、表示装置の電力消費量を管理する技術に関する。
【背景技術】
【０００２】
電気泳動ディスプレイ（Electrophoresis Display：以下、ＥＰＤという）と呼ばれる表示装置の開発が行われている。ＥＰＤにおいては、格子状に配列された画素電極と共通電極の間に複数のマイクロカプセルが配置されている。このマイクロカプセルは、着色した帯電粒子を分散させた有機溶媒等の液体が内部に封入されたものであり、電気泳動素子として機能する。ＥＰＤは、上述の画素電極と共通電極とで形成される電界を変化させることにより、帯電粒子をマイクロカプセル内で移動させて表示を行うものである。
【０００３】
ＥＰＤの駆動方式として、アクティブマトリックス方式が知られている。アクティブマトリックス方式とは、それぞれの画素毎に用意されたトランジスタを使用して画素を制御する方式である。アクティブマトリックス型のＥＰＤとしては、低温ポリシリコン膜を用いたＴＦＴ（thin film transistor：薄膜トランジスタ）などで形成されたアクティブマトリックス型素子のアレイを多数の電気泳動素子で覆ったものなどがある。このようなアクティブマトリックス型ＥＰＤにおいて、共通電極は１つの表示面につき１つ備えられているのに対し、画素電極は１つの表示面につき複数備えられている。ここでもし、共通電極の電位を０Ｖから１５Ｖに書き換えるタイミングに合わせて、特定の画素電極の電位を０Ｖから１５Ｖに書き換えることができるのであれば、この特定の画素電極と共通電極との間に電界は生じないから、この特定の画素電極に描かれていた階調を維持させることができる。しかし、実際には複数の画素は例えば走査線にそって逐次書き換えられるため、共通電極の電位が変わるタイミングにあわせて、特定の画素のみの電位を変えることは難しい。したがって、ＥＰＤにおいては、全画面を一度、白に書き換えてから画素ごとに黒を書き込むことで、画像を書き換えることが行われている。例えば、特許文献１には、表示内容の変更を行う際にそれまで表示していた内容を表示領域全体に亘って消去し、その後、新たな表示内容の書き換えを行うことが記載されている。
【０００４】
全画面を白に書き換えてから特定の画素に黒を書き込む場合、全ての画素に等しい長さで、白が書き込まれる時間が与えられる。一方、黒が書き込まれる時間は画素ごとに異なる。ＥＰＤでは、同じ画素に同じ電圧を印加し続けると、電気泳動素子の保持特性が低下し、いわゆる経時的残像が発生するようになる。この経時的残像を防止するための技術が開発されている。例えば、特許文献２には、第１の画像から第２の画像へ変更する切り替え期間において、第１の画像を表示している間の表示が白であった領域の画素電極と共通電極の間にのみ電位差を与え、表示部が黒であった領域の画素電極と共通電極の間には電位差を与えずに、表示部全体を黒にする第１の期間と、表示部の全領域において、画素電極と共通電極の間に電位差を与えることにより表示部全体を白にする第２の期間を設けることが記載されている。
【０００５】
ところで、ＥＰＤは画像を書き込むときにだけ電力を必要とし、画像を維持するためには電力を必要としないので、省電力型の表示装置として期待されているが、さらに電力消費を抑える技術が開発されている。例えば、特許文献３には、バッテリー残量が少なくなった場合に、新たに画像を書き込む際の印加電圧を下げるとともに、印加時間を長くすることでバッテリー寿命を延ばす技術が記載されている。
【特許文献１】特開２００２−１４９１１５号公報
【特許文献２】特開２００７−２０６４７１号公報
【特許文献３】特開２００５−２１５３３２号公報
【発明の開示】
【発明が解決しようとする課題】
【０００６】
本発明は、ＥＰＤにおいて、表示部の残像を低減するとともに、省電力化を図ることを可能にすることを目的とする。
【課題を解決するための手段】
【０００７】
上述した課題を解決するため、本発明に係る表示装置は、印加される電圧に応じて色が書き換えられる複数の画素を有する表示手段と、電源から供給可能な電力の残量を検知する検知手段と、電力の残量と第１の期間および第２の期間との対応関係を取得する取得手段と、前記取得手段により取得された対応関係に基づいて、前記検知手段により検知された電力の残量に応じた第１の期間および第２の期間を特定する特定手段と、前記複数の画素のうち、画像データによって表される画像に対応する画素に電圧を印加し、当該画素の色を第１の色から第２の色に書き換えて、当該画像を前記表示手段に書き込む書込手段と、前記書込手段によって第２の色に書き換えられた画素以外の画素に対し、前記特定手段が特定した第１の期間に亘って電圧を印加して、当該画素の色を第１の色から第２の色に書き換える第１書換手段と、前記書込手段および前記第１書換手段によって第２の色に書き換えられた画素に対し、前記特定手段が特定した第２の期間に亘って電圧を印加して、当該画素の色を第２の色から第１の色に書き換える第２書換手段とを具備することを特徴とする。
これにより、ＥＰＤにおいて、表示部の残像を低減するとともに、省電力化を図ることができる。
【０００８】
好ましくは、利用者による操作の内容に応じた操作信号を供給する操作信号供給手段と、前記操作信号供給手段により供給される操作信号に応じて、前記電源から供給可能な電力の残量と前記第１の期間および前記第２の期間との対応関係を記憶する記憶手段とを具備し、前記取得手段は、前記電力の残量と前記第１の期間および前記第２の期間との対応関係を前記記憶手段から読み出して取得するとよい。
これにより、ＥＰＤにおいて、表示部の残像の低減と省電力化との調整を取ることができる。
【０００９】
また、本発明に係る表示装置は、利用者による操作の内容に応じた操作信号を供給する操作信号供給手段と、印加される電圧に応じて色が書き換えられる複数の画素を有する表示手段と、前記操作信号供給手段により供給された操作信号に基づいて、第１の期間および第２の期間を特定する期間特定手段と、前記複数の画素のうち、画像データによって表される画像に対応する画素に電圧を印加し、当該画素の色を第１の色から第２の色に書き換えて、当該画像を前記表示手段に書き込む書込手段と、前記書込手段によって第２の色に書き換えられた画素以外の画素に対し、前記特定手段が特定した第１の期間に亘って電圧を印加して、当該画素の色を第１の色から第２の色に書き換える第１書換手段と、前記書込手段および前記第１書換手段によって第２の色に書き換えられた画素に対し、前記特定手段が特定した第２の期間に亘って電圧を印加して、当該画素の色を第２の色から第１の色に書き換える第２書換手段とを具備することを特徴とする。
これにより、ＥＰＤにおいて、表示部の残像を低減するとともに、利用者が省電力化を図ることができる。
【００１０】
好ましくは、前記期間特定手段は、予め定められた第１の期間および第２の期間をそれぞれ組み合わせて成る複数の組から、前記操作信号供給手段により供給された操作信号に基づいて、１の組を選択することによって、前記第１の期間および前記第２の期間を特定するとよい。
これにより、この構成を用いない場合に比較して、利用者による省電力化の設定を容易にすることができる。
【００１１】
また、好ましくは、前記期間特定手段は、電源から供給可能な電力の残量を検知する検知手段と、前記複数の組のそれぞれを用いた場合に、前記書込手段、前記第１書換手段および前記第２書換手段により消費されるそれぞれの電力の消費量を特定する電力消費量特定手段と、前記電力消費量特定手段により特定した各電力消費量と、前記検知手段により検知された電力の残量とに基づいて、前記書込手段、前記第１書換手段および前記第２書換手段による画像データに応じた画像の書き換えが可能な回数である書換回数を前記各組ごとに算出し、利用者に報知する報知手段とを具備し、前記操作信号供給手段により供給された操作信号に基づいて、１の組を選択することによって、前記第１の期間および前記第２の期間を特定するとよい。
これにより、利用者に表示部の残像の低減と省電力化の調整を行わせることできる。
【００１２】
また、好ましくは、前記期間特定手段は、電源から供給可能な電力の残量を検知する検知手段と、前記操作信号供給手段により供給された操作信号に基づいて特定した第１の期間および第２の期間を用いた場合に、前記書込手段、前記第１書換手段および前記第２書換手段により消費される電力の消費量を特定する電力消費量特定手段と、前記電力消費量特定手段により特定した電力の消費量と、前記検知手段により検知された電力の残量とに基づいて、前記書込手段、前記第１書換手段および前記第２書換手段による画像データに応じた画像の書き換えが可能な回数である書換回数を算出し、利用者に報知する報知手段とを具備し、当該報知に応じて前記操作信号供給手段により供給された操作信号に基づいて、前記第１の期間および前記第２の期間を特定するとよい。
これにより、利用者に表示部の残像の低減と省電力化の調整を行わせることできる。
【００１３】
また、本発明に係るプログラムは、印加される電圧に応じて色が書き換えられる複数の画素を有する表示手段と、電源から供給可能な電力の残量を検知する検知手段とを具備する表示装置のコンピュータを、電力の残量と第１の期間および第２の期間との対応関係を取得する取得手段と、前記取得手段により取得された対応関係に基づいて、前記検知手段により検知された電力の残量に応じた第１の期間および第２の期間を特定する特定手段と、前記表示手段により、前記複数の画素のうち、画像データによって表される画像に対応する画素に電圧を印加させ、当該画素の色を第１の色から第２の色に書き換えさせて、当該画像を前記表示手段に書き込ませる書込制御手段と、前記表示手段により、前記書込制御手段によって第２の色に書き換えさせられた画素以外の画素に対し、前記特定手段が特定した第１の期間に亘って電圧を印加させ、当該画素の色を第１の色から第２の色に書き換えさせる第１書換制御手段と、前記表示手段により、前記書込制御手段および前記第１書換制御手段によって第２の色に書き換えさせられた画素に対し、前記特定手段が特定した第２の期間に亘って電圧を印加させて、当該画素の色を第２の色から第１の色に書き換えさせる第２書換制御手段として機能させるためのプログラムである。
これにより、ＥＰＤにおいて、表示部の残像を低減するとともに、省電力化を図ることができる。
【００１４】
また、本発明に係るプログラムは、利用者による操作の内容に応じた操作信号を供給する操作信号供給手段と、印加される電圧に応じて色が書き換えられる複数の画素を有する表示手段とを具備する表示装置のコンピュータを、前記操作信号供給手段により供給された操作信号に基づいて、第１の期間および第２の期間を特定する期間特定手段と、前記複数の画素のうち、画像データによって表される画像に対応する画素に電圧を印加し、当該画素の色を第１の色から第２の色に書き換えて、当該画像を前記表示手段に書き込む書込手段と、前記書込手段によって第２の色に書き換えられた画素以外の画素に対し、前記特定手段が特定した第１の期間に亘って電圧を印加して、当該画素の色を第１の色から第２の色に書き換える第１書換手段と、前記書込手段および前記第１書換手段によって第２の色に書き換えられた画素に対し、前記特定手段が特定した第２の期間に亘って電圧を印加して、当該画素の色を第２の色から第１の色に書き換える第２書換手段として機能させるためのプログラムである。
これにより、利用者に表示部の残像の低減と省電力化の調整を行わせることできる。
【発明を実施するための最良の形態】
【００１５】
本発明を実施するための最良の形態について説明する。なお、以下に説明する実施形態において、「画（え）」とは、文字や記号、図形、線、点、写真画、絵画等のように、人間がその内容を認識し得るように、背景とは異なる色で描かれた画像のことをいう。そして、背景の色は、第１の色である白であり、画の色は、第２の色である黒である。
（Ａ：構成）
（Ａ−１：表示端末の全体構成）
図１は、表示端末１の外観の一例を示す外観図である。また、図２は、表示端末１の機能構成の一例を示すブロック図である。
図１に示すように、表示端末１の前面には、操作部１６、表示体１５２および座標取得部１７が設けられている。座標取得部１７は、表示体１５２の表示領域の前面側に配置されている。座標取得部１７は透明であるため、利用者は、この座標取得部１７に邪魔されることなく、座標取得部１７の後面側にある表示体１５２の表示内容を見ることができる。そして、利用者が、スタイラスペン２のペン先を表示体１５２の上に設けられた座標取得部１７の表面に押し付けると、座標取得部１７は押し付けられたペン先の位置を検知し、検知した位置に応じた信号をＣＰＵ１１に出力する。すなわち、座標取得部１７は、利用者による操作の内容に応じた操作信号を供給する操作信号供給手段の一例である。
【００１６】
図２に示すように、表示端末１は、ＣＰＵ（Central Processing Unit）１１、ＲＯＭ（Read Only Memory）１２、ＲＡＭ（Random Access Memory）１３、記憶部１４、表示部１５、操作部１６、座標取得部１７および電源制御部１８を備えている。これらの各構成は、バス１９に接続されている。ＣＰＵ１１は、ＲＯＭ１２に記憶されているコンピュータプログラムを読み出して実行することにより、表示端末１の各部を制御する。また、ＣＰＵ１１に内蔵されたタイマは水晶振動子を有する発振回路を備えており、その発振回路から出力される発信信号に基づいて時間を計測する。ＲＯＭ１２は、読み出し専用の不揮発性記憶装置であり、上述のコンピュータプログラムが記憶されている。ＲＡＭ１３は、半導体素子等によって構成される読み書き可能な記憶装置であり、ＣＰＵ１１がプログラムを実行する際のワークエリアとして利用される。記憶部１４は、例えばフラッシュメモリなどの書き換え可能な不揮発性記憶装置であり、表示部１５の表示体１５２に画像を表示させるための文書データやフォントデータ、表示体１５２の設定などを記憶する。さらに、記憶部１４は、画像を書き換える際に表示体１５２に表示された画像を消去させるパターンを記述した駆動パターンテーブル１４１を記憶する。駆動パターンテーブル１４１については後述する。操作部１６は、２つのページ送りボタンを備えており、利用者による操作を受け付けてその操作内容に応じた信号（以下、操作信号という）をＣＰＵ１１に供給する。この操作部１６は、利用者による操作の内容に応じた操作信号を供給する操作信号供給手段の一例である。
【００１７】
表示部１５は印加される電圧に応じて色が書き換えられる複数の画素を有する表示手段の一例であり、駆動部１５１、表示体１５２およびＶＲＡＭ１５３を備える。駆動部１５１は、ＣＰＵ１１から供給される描画命令を駆動信号に変換し、この駆動信号により各電気泳動素子を駆動する。表示体１５２は、複数の電気泳動素子や電極を備えた反射型の表示デバイスであり、複数の画素からなる表示領域を有する。この表示領域は、例えば横方向に７６８列で縦方向に１０２４行の格子状に配列された画素を有する。ＶＲＡＭ１５３は、表示体１５２に表示させる画像の画像データと、その画像データの形成に必要な情報を記憶するメモリである。座標取得部１７は、表示体１５２の上に設けられた透明なタッチパネルであり、スタイラスペン２のペン先が指し示す座標を取得する。なお、この座標は、静電容量式、電磁誘導式或いは抵抗膜式などの種々の方式によって検出されるが、本実施形態ではいずれでもよい。
電源制御部１８は、電源１８１を制御して、電源１８１から送られる電力を表示端末１の各部に供給する。また、電源１８１から供給可能な電力の残量（以下、電力残量という）を検知する検知手段を備えている。電源１８１は例えばリチウム電池等の電池であり、上述した検知手段は例えば電圧計等である。以上が表示端末１の全体構成である。
【００１８】
（Ａ−２：駆動パターンテーブルの構成）
次に、記憶部１４に記憶された駆動パターンテーブル１４１について説明する。画像データに応じた画像（以下、第１の画像という）の書き換えを行う際に、表示端末１のＣＰＵ１１は駆動部１５１を駆動して、表示体１５２の画素のうち、画像データによって表される画像に対応する画素に電圧を印加し、その画素の色を白（第１の色）から黒（第２の色）に書き換えて、その画像を書き込む「書込処理」（書込手段）を行う。そして、表示端末１のＣＰＵ１１は、新たに別の画像データに応じた画像（以下、第２の画像という）の書き換えを行う際に以下の消去処理を行う。すなわち、表示端末１のＣＰＵ１１は、まず、「書込処理」により第１の画像を書き込むことによって黒（第２の色）に書き換えられた画素以外の画素に対し、ＣＰＵ１１により特定されている期間（第１の期間）に亘って電圧を印加して、その画素の色を白（第１の色）から黒（第２の色）に書き換える「黒消去処理」（第１書換手段）を行う。そして、表示端末１のＣＰＵ１１は、「黒消去処理」の後、表示体１５２の全領域、すなわち、「書込処理」および「黒消去処理」によって黒（第２の色）に書き換えられた画素に対し、ＣＰＵ１１により特定されている期間（第２の期間）に亘って電圧を印加して、その画素の色を黒（第２の色）から白（第１の色）に書き換える「白消去処理」（第２書換手段）を行う。
【００１９】
駆動パターンテーブル１４１は、電力残量の範囲に応じて、この「黒消去処理」が行われる期間である「黒消去期間」（第１の期間）と「白消去処理」が行われる期間である「白消去期間」（第２の期間）の複数の組み合わせ（以下、消去駆動パターンという）が記述されたテーブルである。図３は、駆動パターンテーブル１４１の一例を示す図である。駆動パターンテーブル１４１に記述されている消去駆動パターンは、互いを識別する「駆動パターン名」と、消去処理を行う時点における電力残量がどの程度であるかを示す「電力残量の範囲」と、黒消去期間ｔ１と、白消去期間ｔ２とを対応付ける。例えば、駆動パターン名が「パターン１」である消去駆動パターンは、電力残量の範囲が「３０％以上」に対応しており、黒消去期間ｔ１が「５０ｍｓｅｃ」、白消去期間ｔ２が「５０ｍｓｅｃ」であることを示している。すなわち、この駆動パターンテーブル１４１を記憶する記憶部１４は、電源１８１から供給可能な電力残量と「黒消去期間」および「白消去期間」との対応関係を記憶する記憶手段の一例である。
【００２０】
（Ａ−３：表示端末の表示体の構成）
図４は、表示部１５の表示体１５２の構造を模式的に示した図である。
図４に示すように、表示体１５２は、第１基板１５２１、第２基板１５２２、電気泳動素子Ｐおよびバインダ１５２３により構成されている。図４においては、上方向が表示面の表面側であり、下方向が裏面側である。表示体１５２は、利用者によって表面側の例えば矢線Ｖの方向から視認される。第１基板１５２１は、ガラス基板であり、その上方の表面には複数の画素電極ＰＥが規則的な格子状に配列されている。この画素電極ＰＥは、全て略同一の大きさ（数十ミクロン程度）の正方形であり、具体的には、低温ポリシリコン膜を用いたＴＦＴで形成されたアクティブマトリックス型素子である。また、第１基板１５２１に対向する第２基板１５２２は、ポリエチレンテレフタラート（Polyethylene terephthalate）などの透明な樹脂基板であり、その下方には酸化インジウムスズ（ＩＴＯ：Indium Tin Oxide）などの透明な共通電極ＣＥが設けられている。複数の画素電極ＰＥと共通電極ＣＥの間には、複数の電気泳動素子Ｐが、光透過性を有するバインダ１５２３により固定されている。この電気泳動素子Ｐは、約数十ミクロン程度の大きさで略球状ではあるが、それぞれの大きさおよび形状は完全に同一ではなく、互いに近接して並べられている。第２基板１５２２の上には、図中に破線で示すように、座標取得部１７としてタッチパネルが設けられている。
【００２１】
図５は、電気泳動素子Ｐの構造および状態を模式的に示す断面図である。より詳細には、図５（ａ）は、黒色を表示するときの電気泳動素子Ｐの状態を示し、図５（ｂ）は、白色を表示するときの電気泳動素子Ｐの状態を示すものである。また、図５（ｃ）は、図中左側部分に黒色を、右側部分に白色をそれぞれ表示するときの電気泳動素子Ｐの状態を示すものである。
電気泳動素子Ｐは、図５（ａ）〜（ｃ）に示すように、マイクロカプセル化されている。カプセル壁ＣＷとしてのポリマー膜内には、プラス（＋）に帯電した黒色顔料粒子ＢＧおよびマイナス（−）に帯電した白色顔料粒子ＷＧを含む、液体の分散媒ＤＭが封入されている。黒色顔料粒子ＢＧおよび白色顔料粒子ＷＧの位置は、外部から与えられる電界により規定され、さらに分散媒ＤＭにより安定的に維持される。なお、実際の黒色顔料粒子ＢＧおよび白色顔料粒子ＷＧの粒径は、図に示すよりも小さく、数ナノメートル程度である。上述したように、この電気泳動素子Ｐは、大きさおよび形状が完全に同一ではなく、いわば不規則に並べられた状態でバインダ１５２３により固定されているから、必ずしも画素電極ＰＥと一対一の対応関係にはない。図５においては、簡略に説明するため、電気泳動素子Ｐの裏面側には、２つの画素電極ＰＥ１およびＰＥ２が配置されている場合を図示したが、画素電極の大きさによっては、１つの画素電極と複数の電気泳動素子Ｐとが対応する場合も３つ以上の画素電極と複数の電気泳動素子Ｐとが対応する場合もある。
【００２２】
電気泳動素子Ｐによって黒色を表示しようとするときには、図５（ａ）に示すように、画素電極ＰＥ１と共通電極ＣＥとの間および画素電極ＰＥ２と共通電極ＣＥとの間に図中矢印Ｅ１方向の向きを持つ電界を生じさせるような電圧が駆動部１５１により印加される。これにより、プラス（＋）に帯電している黒色顔料粒子ＢＧは、上記の電界によってマイナス（−）に帯電している表面側に近付くようにカプセル壁ＣＷ内を移動する。同様に、マイナス（−）に帯電している白色顔料粒子ＷＧは、上記の電界によってプラス（＋）に帯電している裏面側に近付くようにカプセル壁ＣＷ内を移動する。このようにして、電気泳動素子Ｐの表面側に黒色顔料粒子ＢＧが集められるので、利用者が表面側から矢線Ｖに沿ってこの電気泳動素子Ｐを観察したときには、黒色を認識する。他方で、電気泳動素子Ｐは、白色を表示しようとするときには、図５（ｂ）に示すように、画素電極ＰＥ１と共通電極ＣＥとの間および画素電極ＰＥ２と共通電極ＣＥとの間に図中矢印Ｅ２方向の向きを持つ電界を生じさせるような電圧が駆動部１５１により印加される。これにより、白色顔料粒子ＷＧは、表面側に近付くように移動すると共に、黒色顔料粒子ＢＧは、裏面側に近付くように移動する。このようにして、電気泳動素子Ｐの表面側に白色顔料粒子ＷＧが集められるので、利用者が表面側から矢線Ｖに沿ってこの電気泳動素子Ｐを観察したときには、白色を認識する。
【００２３】
また、一つの電気泳動素子Ｐが同時に表示することができる色は一色ではなく、図５（ｃ）に示すように、一つの電気泳動素子Ｐが同時に白色と黒色の両方を表示する状態もある。この場合、電気泳動素子Ｐの図中右側においては、画素電極ＰＥ１と共通電極ＣＥとの間に図中矢印Ｅ２方向の向きを持つ電界を生じさせるような電圧が駆動部１５１により印加され、電気泳動素子Ｐの図中左側においては、画素電極ＰＥ２と共通電極ＣＥとの間に図中矢印Ｅ１方向の向きを持つ電界を生じさせるような電圧が駆動部１５１により印加される。これにより、電気泳動素子Ｐの図中左側においては、黒色顔料粒子ＢＧが表面側に近付くように移動すると共に、白色顔料粒子ＷＧが裏面側に近付くように移動する。また、電気泳動素子Ｐの図中右側においては、白色顔料粒子ＷＧが表面側に近付くように移動すると共に、黒色顔料粒子ＢＧが裏面側に近付くように移動する。
【００２４】
ここで、表示部１５の表示体１５２が、１回の画像書き込み工程において、ある画素を白から黒へ書き換えると同時に他の画素を黒から白へ書き換えることができない理由について説明する。
図６（ａ）は、この理由を説明するための模式図である。また、図６（ｂ）〜（ｄ）は、共通電極ＣＥおよび画素電極ＰＥ１〜ＰＥ４に印加される電圧、電界の向きおよび表面から認識される画素の色を示した図である。表示体１５２の内部において、４つの電気泳動素子Ｐ１〜Ｐ４と、この電気泳動素子Ｐ１〜Ｐ４の下方にそれぞれ備えられた画素電極ＰＥ１〜ＰＥ４と、この電気泳動素子Ｐ１〜Ｐ４の上方に備えられた共通電極ＣＥとが、図６（ａ）に示すように、配置されている場合を想定する。この表示体１５２は矢線Ｖに沿った方向、すなわち図中の上方から利用者により視認される。なお、上述したように、電気泳動素子Ｐと画素電極ＰＥとは一対一の対応関係になくてもよいが、ここでは説明の便宜のため、電気泳動素子Ｐ１〜Ｐ４のそれぞれに対応して同じ添え字を有する画素電極ＰＥ１〜ＰＥ４があるとする。また、電気泳動素子Ｐ１〜Ｐ４の内部には、複数の黒色顔料粒子ＢＧおよび白色顔料粒子ＷＧが存在しているが、図６（ａ）においては、各粒子を描画することを省略し、黒色または白色の複数の粒子が表面または裏面に移動している様子を半円で表現する。なお、この画素電極ＰＥ１〜ＰＥ４とこれに対応する電気泳動素子Ｐ１〜Ｐ４が含まれる画素を、それぞれ画素ＰＸ１〜ＰＸ４と呼ぶ。
【００２５】
図６（ａ）に示す電気泳動素子Ｐ１〜Ｐ４は、初期状態であり、電気泳動素子Ｐ１、Ｐ２が黒を表示しており、電気泳動素子Ｐ３、Ｐ４が白を表示している。この初期状態をＣＡＳＥIと呼ぶ。ここで、仮に画素電極ＰＥのＴＦＴが３０Ｖの電圧に耐えられると仮定するＣＡＳＥIIを説明する。ＣＡＳＥIIにおいては、共通電極ＣＥに１５Ｖ電圧を、画素電極ＰＥ１およびＰＥ３に３０Ｖ電圧を印加し、画素電極ＰＥ２およびＰＥ４を０Ｖにする（図６（ｂ）参照）。このようにすると、画素電極ＰＥ１およびＰＥ３は共通電極ＣＥに対して、＋１５Ｖの電位差が発生する。したがって、画素電極ＰＥ１およびＰＥ３に対向して配置されている電気泳動素子Ｐ１およびＰ３は、いずれも黒を表示する。一方、画素電極ＰＥ２およびＰＥ４は共通電極ＣＥに対して、−１５Ｖの電位差が発生する。したがって、画素電極ＰＥ２およびＰＥ４に対向して配置されている電気泳動素子Ｐ２およびＰ４は、いずれも白を表示する。このように、画素電極ＰＥのＴＦＴが３０Ｖの電圧に耐えられるのであれば、共通電極ＣＥに印加する電圧を０Ｖと３０Ｖの中間である１５Ｖに固定しても、画素電極を０Ｖと３０Ｖに切り替えることで、ある画素を白から黒へ書き換えることと他の画素を黒から白へ書き換えることを同時に行うことができ、ＥＰＤの直前の状態によらず任意の画素状態に書き換えることが可能である。しかし、実際には、一般的なＴＦＴは３０Ｖの電圧に耐えられず、かつ、一般的な大きさの電気泳動素子を書き換えるためには共通電極と画素電極との間に１５Ｖ程度の電位差が必要であるため、このような構成をとることはできない。
【００２６】
このような制約があるため、表示部１５の表示体１５２は以下のような構成をとっている。すなわち、表示端末１は、表示体１５２に黒を上書きするためにはＣＡＳＥIIIのように、白を上書きするためにはＣＡＳＥIVのように、各電極に印加させる電圧を制御する。以下にその詳細を説明する。
ＣＡＳＥIIIにおいては、共通電極ＣＥと画素電極ＰＥ２およびＰＥ４を０Ｖにし、画素電極ＰＥ１およびＰＥ３に１５Ｖ電圧を印加する（図６（ｂ）参照）。こうすると、電気泳動素子Ｐ２およびＰ４には上下方向に電位差がなく、電界が発生しないので、電気泳動素子Ｐ２およびＰ４は直前の状態（ＣＡＳＥI）を保ったままになる。つまり、電気泳動素子Ｐ２は黒を、電気泳動素子Ｐ４は白をそれぞれ表示したままになる。一方、電気泳動素子Ｐ１およびＰ３には上向きの電界が発生するので（図６（ｃ）参照）、黒が表示される。つまり、電気泳動素子Ｐ１は直前の状態と変わらず黒を表示し続け、電気泳動素子Ｐ３は、白から黒に表示状態が変わる（図６（ｄ）参照）。
ＣＡＳＥIVにおいては、画素電極ＰＥ１〜ＰＥ４は上述と同様にし、共通電極ＣＥを１５Ｖに印加する。このようにすると、電気泳動素子Ｐ１およびＰ３が直前の状態（ＣＡＳＥI）を保ったままになる一方、電気泳動素子Ｐ２およびＰ４には下向きの電界が発生するので（図６（ｃ）参照）、白が表示される。つまり、電気泳動素子Ｐ４は直前の状態と変わらず白を表示し続け、電気泳動素子Ｐ２は、黒から白に表示状態が変わる（図６（ｄ）参照）。
以上のようにＣＡＳＥIIIにおいては、白から黒への書き換えのみが行われ、黒から白への書き換えは行われない。逆にＣＡＳＥIVにおいては、黒から白への書き換えのみが行われ、白から黒への書き換えは行われない。ＣＡＳＥIIIとＣＡＳＥIVは、共通電極ＣＥに印加される電圧が異なっているから、表示部１５の表示体１５２は、ある画素を白から黒へ書き換えると同時に他の画素を黒から白へ書き換えることができないのである。
【００２７】
（Ｂ：動作）
次に、表示端末１の動作を説明する。図７は、表示端末１の動作の概要を説明するための図である。図７（ａ）〜（ｄ）には、画像を書き換える過程が例示されている。最初に表示部１５の表示体１５２は、表示領域の全画素の色が白になっている（図示せず）。ＣＰＵ１１は、記憶部１４から読み出した文書データに基づいて、この文書データに示される画を表示部１５のＶＲＡＭ１５３に展開する。ここで画を展開するとは、ラスタライズなどの処理により、表示体１５２において画に対応する画素を特定可能な状態にして記憶することをいう。ここでは、画の一例として「Ｈ」の文字型をした画を挙げて説明する。そして、ＣＰＵ１１は、ＶＲＡＭ１５３に展開された画に基づいて、表示体１５２においてこの画に対応する画素を特定する。ここで、特定した画素からなる領域を領域Ｒａといい、領域Ｒａに含まれない領域をＲｂという。そして、ＣＰＵ１１は、表示部１５の駆動部１５１を制御して、共通電極の電位と領域Ｒｂに対応する画素電極の電位を０Ｖにし、領域Ｒａに対応する画素電極に１５Ｖ電圧を印加させる。これによりＣＰＵ１１は、領域Ｒａにのみ上向きの電界を発生させて、表示体１５２に「Ｈ」の文字型をした画を形成させる。これにより、図７（ａ）に示すように、白地に「Ｈ」の文字型をした画が黒色で描かれる。この処理を「書込処理」という。
そして、この電圧印加が予め定められた期間行われた後は、駆動部１５１によって領域Ｒａに対応する画素電極の電位は０Ｖにされる。ＥＰＤは、描かれた画像を維持するために電力を必要としない記憶性を備えているので、このように領域Ｒａに対応する画素電極の電位が０Ｖにされても、「Ｈ」の文字型をした画は表示体１５２において維持される。
【００２８】
続いて、表示端末１のＣＰＵ１１は、表示部１５の駆動部１５１を制御して、表示体１５２の全画面を黒表示とする黒消去処理を行う。図７（ｂ）には、黒消去処理を行ったときの表示体１５２の表示が表されている。ここで、全ての画素電極に１５Ｖ電圧を印加させることにより、全画面を黒表示とすることも可能である。しかしこのとき、領域Ｒａについては、画「Ｈ」の表示期間中から黒表示されているため、消去時にさらに黒表示にするための電圧印加を行うと、黒表示のための電圧印加が過剰になってしまう。このため、表示部１５の駆動部１５１は、共通電極の電位と領域Ｒａに対応する画素電極の電位を０Ｖのまま維持し、領域Ｒｂに対応する画素電極にのみ１５Ｖ電圧を印加させる。これにより、表示体１５２の全画面が黒表示となる。なお、図７（ｂ）に示す破線は、実際には表示体１５２によって描かれない線であり、破線の内外はいずれも黒表示となっているが、その黒表示となった過程が異なることを示している。すなわち、この破線の内側である領域Ｒａは、共通電極と画素電極との電位差が生じていないために、図７（ａ）における表示状態が維持されることによって黒表示となっていることを示し、この破線の外側である領域Ｒａは、上述した電圧印加により生じた上向きの電界によって、黒表示となっていることを示している。
【００２９】
続いて、表示端末１のＣＰＵ１１は、表示部１５の駆動部１５１を制御して、全ての画素電極の電位を０Ｖにし、共通電極に１５Ｖ電圧を印加させることにより、全ての画素に対して下向きの電界を生じさせ、表示体１５２の全画面を白表示とする白消去処理を行う。図７（ｃ）には、白消去処理を行ったときの表示体１５２の表示が表されている。なお、図７（ｃ）に示す破線も、実際には表示体１５２によって描かれない線である。
【００３０】
そして、表示体１５２の全画面が白表示となった後、表示端末１のＣＰＵ１１は、表示部１５の駆動部１５１を制御して、白地に「Ｉ」の文字型をした黒色の画を表示体１５２に表示させる。この画「Ｉ」に含まれる領域を領域Ｒｃといい、領域Ｒｃに含まれない領域をＲｄとする。駆動部１５１は、共通電極の電位と領域Ｒｄに対応する画素電極の電位を０Ｖにし、領域Ｒｃに対応する画素電極に１５Ｖ電圧を印加させることにより、領域Ｒｃにのみ上向きの電界を発生させて、画「Ｉ」を表示体１５２に表示させる。図７（ｄ）には、画「Ｉ」が描かれる表示部１５の表示体１５２が表されている。
【００３１】
ここで、簡略に説明をするため、図６に示した４つの画素ＰＸ１〜ＰＸ４に、領域Ｒａ，Ｒｂ，Ｒｃ，Ｒｄを割り当てる。図７（ｅ）はこの割り当てを示す図であり、同図中の「○」は、その画素がその領域に含まれることを示している。図７（ｆ）は、この４つの画素ＰＸ１〜ＰＸ４を示した図である。すなわち、画素ＰＸ１および画素ＰＸ２は領域Ｒａに含まれ、画素ＰＸ３および画素ＰＸ４は領域Ｒｂに含まれている。また、画素ＰＸ２および画素ＰＸ３は領域Ｒｃに含まれ、画素ＰＸ１および画素ＰＸ４は領域Ｒｄに含まれている。
【００３２】
図８は、図７（ｅ）で領域Ｒａ〜Ｒｄに割り当てた４つの画素ＰＸ１〜ＰＸ４を用いて、表示端末１の動作の概要を説明するための図である。まず、図８（ａ）に示すように、領域Ｒａである画素ＰＸ１および画素ＰＸ２に黒が表示され、領域Ｒｂである画素ＰＸ３および画素ＰＸ４に白が表示される。次に、図８（ｂ）に示すように、領域Ｒｂにのみ電圧が印加されて黒が書き込まれ、領域Ｒａの黒は維持されることによって、画素ＰＸ１〜ＰＸ４の全てが黒表示となる。そして、図８（ｃ）に示すように、全ての画素電極に下向きの電界が生じさせられることにより、画素ＰＸ１〜ＰＸ４の全てが白表示となる。最後に、図８（ｄ）に示すように、領域Ｒｃである画素ＰＸ２および画素ＰＸ３に電圧が印加されて黒が書き込まれる。図８（ｅ）は、この書き込みと消去の過程をタイムチャートで表した図である。同図には、共通電極ＣＥおよび画素電極ＰＥ１〜ＰＥ４に電圧が印加されるタイミングが示されており、同図の右方向に向かって時間が流れていることが示されている。印加される電圧は０Ｖか１５Ｖのいずれかで、同図の５つの線において、それぞれ上方向に凸状に描かれた部分は、その電極に１５Ｖの電圧が印加されている状態を示す。
【００３３】
同図に示すように、期間Ｕａ１には、画素電極ＰＥ１および画素電極ＰＥ２にのみ１５Ｖの電圧が印加され、領域Ｒａの画素の色が黒に書き換えられる「書込処理」が行われる。この「書込処理」の時間はｔ０である。期間Ｕａ２には、全ての電極が０Ｖとされているため、表示部１５の表示体１５２は、直前の表示状態を維持している。したがって、この期間Ｕａ１および期間Ｕａ２には、領域Ｒａのみを黒表示とする図８（ａ）のような表示が維持されている。そして、期間Ｕｂは「黒消去期間」を示している。すなわち、期間Ｕｂに亘り、画素電極ＰＥ３および画素電極ＰＥ４にのみ１５Ｖの電圧が印加され、画素ＰＸ１〜ＰＸ４の全てが黒表示となる。この期間Ｕｂの長さはｔ１である。期間Ｕｃは期間Ｕｂに続く「白消去期間」を示している。すなわち、共通電極ＣＥにのみ１５Ｖの電圧が印加され、全画素ＰＸ１〜ＰＸ４の電位は０Ｖとされることにより、画素ＰＸ１〜ＰＸ４の全てが白表示となる。この期間Ｕｃの長さはｔ２である。
【００３４】
ここで、期間Ｕａ１の開始から期間Ｕｃの終了までの期間を単位期間Ｕとすると、この単位期間Ｕにおいて、白表示のための下向きの電界がかけられた時間は、全ての画素ＰＸ１〜ＰＸ４で同じｔ２である。黒表示のための上向きの電界がかけられた時間は、画素ＰＸ１および画素ＰＸ２についてはｔ０、画素ＰＸ３および画素ＰＸ４についてはｔ１である。したがって、ｔ０とｔ１が等しくなるように設定されていれば、全ての画素ＰＸ１〜ＰＸ４に対して黒表示のための上向きの電界がかけられた時間は等しい。そしてｔ０とｔ２が等しくなるように設定されていれば、全ての画素ＰＸ１〜ＰＸ４に対して黒表示のための上向きの電界がかけられた時間と、白表示のための下向きの電界がかけられた時間とは等しくなる。このようにして、表示端末１は、各画素に対して上向きの電界がかけられる時間と下向きの電界がかけられる時間とを、画素ごとにそれぞれ等しくして、経時的残像の発生を抑制する。
【００３５】
図９は、表示端末１のＣＰＵ１１が、記憶部１４に記憶した駆動パターンテーブル１４１を参照して消去処理を行う動作の流れを示すフローチャートである。ＣＰＵ１１は、次の画像を表示する旨の表示指令を操作部１６または座標取得部１７から受け取ったか否かを判断する（ステップＳＡ１０１）。そして、この表示指令を受け取っていないと判断する間（ステップＳＡ１０１；ＮＯ）、この表示指令を待ち続ける。一方、表示指令を受け取ったと判断すると（ステップＳＡ１０１；ＹＥＳ）、ＣＰＵ１１は、電源制御部１８を制御して、電力残量を取得して（ステップＳＡ１０２）、記憶部１４から駆動パターンテーブル１４１を参照する（ステップＳＡ１０３）。すなわち、ＣＰＵ１１は、電力残量と「黒消去期間」と「白消去期間」との対応関係を取得する取得手段の一例である。そして、ＣＰＵ１１は、取得した電力残量に対応する消去駆動パターンを特定し、特定した消去駆動パターンをＲＡＭ１３に記憶することにより、これを実行する消去駆動パターンとして設定する（ステップＳＡ１０４）。すなわち、ＣＰＵ１１は、取得された上記の対応関係に基づいて、電源制御部１８により検知された電力残量に応じた「黒消去期間」と「白消去期間」を特定する特定手段の一例である。ＣＰＵ１１は、設定した消去駆動パターンに従って、黒消去処理を実行し（ステップＳＡ１０５）、白消去処理を実行する（ステップＳＡ１０６）。これらの消去処理が完了すると、ＣＰＵ１１は、記憶部１４から次の画像（以下、次画像という）を読み込んで、読み込んだ次画像の書き込みを行う（ステップＳＡ１０７）。
【００３６】
図１０は、表示端末１のＣＰＵ１１が、記憶部１４に記憶した駆動パターンテーブル１４１を参照して消去処理を行うときのタイムチャートを示す図である。この例では、ＣＰＵ１１が電源制御部１８によって取得した電力残量が「２５％」の場合を想定する。この電力残量は、「３０％未満、２０％以上」に該当するから、ＣＰＵ１１は、図９におけるステップＳＡ１０４において、実行する消去駆動パターンとしてパターン２を設定する。すなわち、同図において、ｔ０は５０ｍｓｅｃであり、ｔ１は３５ｍｓｅｃであり、ｔ２は３５ｍｓｅｃである。単位期間Ｚにおいて、領域Ｒａに相当する画素電極ＰＥ１および画素電極ＰＥ２の方が、領域Ｒｂに相当する画素電極ＰＥ３および画素電極ＰＥ４よりも、１５Ｖ電圧の印加時間が長い。したがって、領域Ｒａと領域Ｒｂとにはコントラスト差がつき、表示体１５２に残像が発生する。しかし、この残像は、黒消去処理を行わない態様において生じる残像に比べると弱い残像である。そして、黒消去処理および白消去処理はパターン１で設定されている時間よりも短いので、パターン１の設定で消去処理を行うよりも消費電力は低減される。
【００３７】
（Ｃ：変形例）
上述の実施形態を以下のように変形してもよい。
（変形例１）上述の実施形態において、ＣＰＵ１１は電源制御部１８を制御して電力残量を取得し、記憶部１４から駆動パターンテーブル１４１を参照して、取得した電力残量に対応する消去駆動パターンを特定し、実行する消去駆動パターンとしてこれを設定していたが、消去駆動パターンは利用者の操作部１６や座標取得部１７を介した操作に応じて設定されてもよい。すなわちＣＰＵ１１は、操作部１６や座標取得部１７により供給された操作信号に基づいて、「黒消去期間」および「白消去期間」を特定する期間特定手段の一例として機能してもよい。例えば、「黒消去期間」であるｔ１と「白消去期間」であるｔ２をそれぞれ組み合わせて成る複数の組を消去駆動パターンとして予め複数個記憶し、この複数の組から１つの組を利用者に選択させて特定してもよい。この場合、この複数の組のそれぞれについて、各組が示す設定にしたがった場合に表示体１５２を書き換えられる回数、すなわち、上述した書込処理を行うことが可能な回数を表示するとよい。具体的には、駆動パターンテーブル１４１には、各組の設定によって、「書込処理」→「黒消去処理」→「白消去処理」という一連の処理（すなわち、画像データに応じた画像の書き換え処理）を行う際に消費する各電力消費量と、表示体１５２に各組を表示する位置の情報とを、各組と対応付けて記憶する。そして、利用者が操作部１６を操作することにより、消去駆動パターンの選択画面を表示する旨の指示がなされると、ＣＰＵ１１は、記憶部１４から駆動パターンテーブル１４１を読み出すと共に、電源制御部１８を制御して電力残量を取得する。ここで、ＣＰＵ１１は、駆動パターンテーブル１４１から各組に対応する各電力消費量を特定するのであるから、上述した複数の組のそれぞれを用いた場合に、「書込処理」、「黒消去処理」および「白消去処理」により消費されるそれぞれの電力の消費量を特定する電力消費量特定手段の一例である。そして、ＣＰＵ１１により特定した各電力消費量と、電源制御部１８により検知された電力残量とに基づいて、ＣＰＵ１１は、「書込処理」、「黒消去処理」および「白消去処理」による画像データに応じた画像の書き換えが可能な回数である書換回数を各組ごとに算出する。そして、ＣＰＵ１１は、表示部１５により、算出した各組ごとの書換回数を表示（報知）すればよい。具体的には、ＣＰＵ１１は、表示部１５の駆動部１５１を駆動して、駆動パターンテーブル１４１において各組に対応付けて記憶された電力消費量で取得した電力残量をそれぞれ除算した各商を、これら各組の識別子に対応付けて表示すればよい。そして、利用者の操作するスタイラスペン２のペン先等により押下された位置が、座標取得部１７により取得されたときに、ＣＰＵ１１は、座標取得部１７から出力され、この取得した座標を含む操作信号に基づいて、駆動パターンテーブル１４１に記憶された位置の情報を参照し、利用者が選択した消去駆動パターンを特定すればよい。
【００３８】
図１１は、この変形例１における消去駆動パターンの選択画面の一例を示す図である。同図に示すように、表示体１５２の画面上方には、「利用する消去駆動パターンを選択してください」という文字列が表示され、その下方には、選択可能な消去駆動パターンを示すリストと、「消去駆動パターンの詳細設定」という文字列が記載されたボタン状の図形Ｂｔ１と、「完了」という文字列が記載されたボタン状の図形Ｂｔ２が表示される。このリストは、その項目として４つの略矩形の領域が縦方向に並べられたものであり、各領域には、消去駆動パターンの名前（識別子）と、概算表示可能ページ数との組み合わせが記載されている。この概算表示可能ページ数は、この選択画面の表示が指示された時点における電力残量と、各消去駆動パターンに対応する上記の一連の処理で消費する電力消費量に基づいて計算された値である。例えば、同図によれば、「パターン３」に対応する概算表示可能ページ数は「５０ページ」である。利用者は、この表示により、各消去駆動パターンのどれを選ぶと、あと何ページ表示することができるかについておおよその見当をつけることができる。そして、利用者は例えば、同図に示すようにスタイラスペン２のペン先等により、「パターン３」が記載された領域を押し付けると、座標取得部１７は、押し付けられた位置に応じた信号をＣＰＵ１１に出力する。ＣＰＵ１１は、この信号により位置を特定し、表示部１５の駆動部１５１を駆動して、この位置に対応する表示体１５２の領域に網掛け表示等の強調表示を行い、この位置に対応するパターンの値、すなわち「黒消去期間」であるｔ１と「白消去期間」であるｔ２とを、消去駆動パターンの設定値として特定する。そしてこれに続いて、利用者が、スタイラスペン２のペン先等により、図形Ｂｔ２の内側を押し付けると、座標取得部１７はこれに応じた信号をＣＰＵ１１に出力し、この信号を受け取ったＣＰＵ１１は、特定したこの設定値によって消去駆動パターンを設定すればよい。
【００３９】
なお、選択画面を表示するために消費する電力を電力残量から減算し、減算された数値を各電力消費量で除算した各商に基づいて、概算表示可能ページ数を表示してもよい。また、選択画面を表示する以外の方法で利用者に、各消去駆動パターンと、それを用いた場合の概算表示可能ページ数とを報知してもよい。例えば、図示しないスピーカによって予め記憶された音声によって、これらの各消去駆動パターンと、それを用いた場合の概算表示可能ページ数との組み合わせを出力してもよい。また、駆動パターンテーブル１４１には、各組の設定によって消費する電力消費量を記憶しなくてもよい。この場合には、各組の設定から直接電力消費量を算出する算出式があればよい。この算出式は、各組の設定、すなわち、「黒消去期間」であるｔ１と「白消去期間」であるｔ２を変数として定まる関数であればよい。例えば、黒消去処理においては単位時間当たりの電力消費量が係数ｋ１（ｍＪ／ｍｓｅｃ）で一定であり、白消去処理においては単位時間当たりの電力消費量が係数ｋ２（ｍＪ／ｍｓｅｃ）で一定であるとする。また、書込処理にはＥ０（ｍＪ）の電力が消費されるとする。このとき、電力消費量Ｅｇ（ｍＪ）は、次の式（１）によって算出されればよい。
Ｅｇ＝ｋ１×ｔ１＋ｋ２×ｔ２＋Ｅ０      ・・・（１）
【００４０】
また、「黒消去期間」であるｔ１と「白消去期間」であるｔ２を、組として予め複数個記憶するのではなく、利用者にこれらのそれぞれを個別に設定させるようにしてもよい。図１２は、この設定画面の一例を示す図である。なお、同図に示す設定画面は、図１１に示した選択画面において、図形Ｂｔ１の内側が押下されたときに表示されるようにしてもよい。同図に示すように、表示体１５２の画面上方には、「消去駆動パターンを設定してください」という文字列が表示され、その下方には、黒消去期間と白消去期間のリストと、「完了」という文字列が記載されたボタン状の図形Ｂｔ３が表示される。また、この図形Ｂｔ３の左側の矩形領域Ｒには「概算表示可能ページ数：」という文字列が表示される。このリストは、その項目として複数の略矩形領域が縦方向に並べられたものであり、各領域には、それぞれ、１０，１５，２０，…，５０ｍｓｅｃという文字列が記載されている。利用者は、スタイラスペン２のペン先等により、リストに含まれる文字列が記載されている領域を押し付けると、座標取得部１７は、押し付けられた位置に応じた信号をＣＰＵ１１に出力する。ＣＰＵ１１は、この信号により位置を特定し、表示部１５の駆動部１５１を駆動して、この位置に対応する表示体１５２の領域に網掛け表示等の強調表示を行い、この位置に対応する文字列が示す期間の値を、そのリストの期間（すなわち、黒消去期間または白消去期間）の特定値として特定する。次に、ＣＰＵ１１は、上記の黒消去期間と白消去期間の特定した特定値を用いて、上述した式（１）などの算出式により、「書込処理」→「黒消去処理」→「白消去処理」という一連の処理を行う際に消費する電力消費量を算出する。また、ＣＰＵ１１は、この特定値が特定された時点に電源制御部１８を制御して、電力残量を取得する。そして、ＣＰＵ１１は、取得した電力残量と、算出した電力消費量に基づいて、書込処理による画像の書き込みが可能なおおよそのページ数である「概算表示可能ページ数」を計算する。最後に、ＣＰＵ１１は、表示部１５の駆動部１５１を駆動して、計算した概算表示可能ページ数を、上述の矩形領域Ｒの「概算表示可能ページ数：」という文字列の右横に表示する。すなわち、ＣＰＵ１１と表示部１５は、ＣＰＵ１１が算出式等により算出することにより特定した電力消費量と、電源制御部１８により検知された電力残量とに基づいて、「書込処理」、「黒消去処理」および「白消去処理」による画像データに応じた画像の書き換えが可能な回数である書換回数を算出し、利用者に報知する報知手段の一例として機能する。これにより、利用者は、表示部１５に強調表示されている黒消去期間と白消去期間を設定したときの概算表示可能ページ数を認識することとなる。例えば、同図において、黒消去期間として特定されている値は「２５ｍｓｅｃ」であり、白消去期間として特定されている値は「３５ｍｓｅｃ」である。そして、この各値を設定したときの概算表示可能ページ数は「５０ページ」である。
次に、利用者が、スタイラスペン２のペン先等により、図形Ｂｔ３の内側を押し付けると、座標取得部１７から受け取った信号に基づいてＣＰＵ１１は、上記のボタン状の図形の内側が押されたことを判定し、黒消去期間と白消去期間のそれぞれについて、上記の特定した設定値を設定する。すなわち、ＣＰＵ１１は、報知に応じて座標取得部１７により供給された操作信号に基づいて、黒消去期間と白消去期間を特定する。
【００４１】
なお、リストから選ぶのではなく、操作部１６に属する図示しないテンキーなどにより数値を入力するようにしてもよいし、座標取得部１７によって取得される座標の位置や座標取得時の時間およびこれらによって算出される、座標の移動速度等に応じてこの数値を決定してもよい。また、スタイラスペン２のペン先の軌道を解析して文字認識をすることにより、スタイラスペン２で描かれた数値をこの数値として決定してもよい。
【００４２】
（変形例２）上述の実施形態においては、記憶部１４に記憶された駆動パターンテーブル１４１によって、「電力残量の範囲」と、黒消去期間ｔ１と、白消去期間ｔ２とを対応付けられていたが、この駆動パターンテーブル１４１は、記憶部１４に記憶されていなくてもよい。例えば、ＣＰＵ１１は、図示しない通信部を介してインターネット等の通信回線に接続し、通信回線上に備えられたサーバコンピュータから駆動パターンテーブルを取得してもよい。また、ＣＰＵ１１は、この駆動パターンテーブル１４１を参照しないで、取得した電力残量に応じた消去駆動パターンを特定してもよい。例えば、ＣＰＵ１１は、電力残量を変数として定まる関数により、黒消去期間ｔ１と、白消去期間ｔ２とをそれぞれ特定するようにしても良い。例えば、電力残量が３０％以下のＥｒ（％）と特定された場合に、黒消去期間ｔ１と白消去期間ｔ２が、予め定められた係数Ｋ１（ｍｓｅｃ／％）および係数Ｋ２（ｍｓｅｃ／％）により定まる次の式（２）によって算出されればよい。
ｔ１＝５０−Ｋ１（３０−Ｅｒ）
ｔ２＝５０−Ｋ２（３０−Ｅｒ）        ・・・（２）
要するに、ＣＰＵ１１は、電力残量と黒消去期間ｔ１および白消去期間ｔ２との対応関係を取得する対応関係取得手段として機能すればよい。
【００４３】
（変形例３）上述の実施形態においては、座標取得部１７は、表示体１５２の表示領域の前面側に配置されていたが、座標取得部１７の配置はこれに限られない。例えば、表示領域の背面側に配置されていてもよい。また、座標取得部１７は、表示体１５２の上に設けられた透明なタッチパネルであったが、利用者が指し示す点の座標を取得することができれば、タッチパネル以外の装置で構成してもよい。例えば、座標取得部１７を、表示体１５２を撮像するカメラとカメラから出力される画像データを解析するＭＰＵなどで構成し、解析の結果、スタイラスペン２のペン先が指し示す点を、表示体１５２の表示領域における座標として出力すればよい。また、表示体１５２の表示領域に予め特殊な顔料によってパターン画像を印刷しておき、スタイラスペン２のペン先に備えたカメラによって、このパターン画像を読み取って座標を出力してもよい。この場合、例えば、この顔料は赤外線等の反射率に影響を及ぼすものであり、スタイラスペン２のペン先に備えた光源から赤外線を表示領域に放射することで、ペン先が指し示す点のパターン画像を読み取らせてもよい。なお、パターン画像は予め座標と対応付けられて記憶部１４に記憶されており、ペン先のカメラが読み取ったパターン画像を基に、ＣＰＵ１１が、記憶部１４を参照して座標を特定すればよい。
【００４４】
（変形例４）上述の実施形態においては、利用者が表示体１５２の表示領域上の位置を指定するためにスタイラスペン２を用いていたが、表示領域上の位置指定手段はこれに限られない。例えば、利用者は、指によって座標取得部１７を押下することで位置を指定してもよい。また、表示端末１には、座標取得部１７として、マウスなどのポインティングデバイスを採用してもよい。
【００４５】
（変形例５）駆動パターンテーブル１４１は、利用者によって編集可能であってもよい。例えば、上述の実施形態においては、図３に示すように、駆動パターン名が「パターン１」である消去駆動パターンは、電力残量の範囲が「３０％以上」に対応しており、駆動パターン名が「パターン２」である消去駆動パターンは、電力残量の範囲が「３０％未満、２０％以上」に対応していた。これを利用者が操作部１６や座標取得部１７を操作することによって表示部１５に表示させて編集し、例えば、「パターン１」に対応する電力残量の範囲を「４０％以上」と、「パターン２」に対応する電力残量の範囲を「４０％未満、２０％以上」と書き換えても良い。これにより、駆動パターンテーブル１４１が書き換えられた後には、記憶部１４から書き換えられた駆動パターンテーブル１４１が読み出されて「黒消去期間」と「白消去期間」とが設定されるため、例えば電力残量が３５％であっても、パターン２が選択される。これにより利用者は、電力消費量を抑制する設定が開始される電力残量の閾値を自由に設定することができる。
【００４６】
（変形例６）上述の実施形態においては、画を示す色として黒が、背景を示す色として白が用いられていたが、画を示す色として白を、背景を示す色として黒を用いてもよい。また、白および黒の組み合わせは他の２色の組み合わせ（例えば、緑と赤など）に置き換えても良い。要するに、利用者によって相互に識別可能な２種類の色のいずれか一方が画を示す色として、他方が背景を示す色として用いられていればよい。
【００４７】
（変形例７）本発明を上述した表示端末１のＣＰＵ１１が実行するプログラムとして実現してもよい。また、ＣＰＵ１１によって実行されるこのプログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。なお、このような制御を行う制御手段としてはＣＰＵ以外にも種々の装置を適用することができ、例えば、専用のプロセッサなどを用いてもよい。
【図面の簡単な説明】
【００４８】
【図１】表示端末の外観の一例を示す外観図である。
【図２】表示端末の機能構成の一例を示すブロック図である。
【図３】駆動パターンテーブルの一例を示す図である。
【図４】表示端末の表示体の構造を模式的に示した図である。
【図５】電気泳動素子の構造および状態を模式的に示す断面図である。
【図６】表示端末の表示体の制約ついて説明するための模式図である。
【図７】表示端末の動作の概要を説明するための図である。
【図８】表示端末の動作の概要を説明するための図である。
【図９】表示端末のＣＰＵが消去処理を行う動作の流れを示すフローチャートである。
【図１０】表示端末のＣＰＵが消去処理を行うときのタイムチャートを示す図である。
【図１１】変形例１における消去駆動パターンの選択画面の一例を示す図である。
【図１２】変形例１における消去駆動パターンの設定画面の一例を示す図である。
【符号の説明】
【００４９】
１…表示端末、１１…ＣＰＵ、１２…ＲＯＭ、１３…ＲＡＭ、１４…記憶部、１４１…駆動パターンテーブル、１５…表示部、１５１…駆動部、１５２…表示体、１５２１…第１基板、１５２２…第２基板、１５２３…バインダ、１５３…ＶＲＡＭ、１６…操作部、１７…座標取得部、１８…電源制御部、１８１…電源、１９…バス、２…スタイラスペン。
【図１】
2010072194.tif 000003
【図２】
2010072194.tif 000004
【図３】
2010072194.tif 000005
【図４】
2010072194.tif 000006
【図５】
2010072194.tif 000007
【図６】
2010072194.tif 000008
【図７】
2010072194.tif 000009
【図８】
2010072194.tif 000010
【図９】
2010072194.tif 000011
【図１０】
2010072194.tif 000012
【図１１】
2010072194.tif 000013
【図１２】
2010072194.tif 000014